(57)【特許請求の範囲】
【請求項１】
筆記具本体の内部に熱変色性インキが収容され且つ前記筆記具本体の一端に前記熱変色性インキが吐出可能なペン先を備え、前記熱変色性インキを用いて被筆記面上に形成した熱変色性の筆跡を摩擦し、その際に生じる摩擦熱で前記熱変色性の筆跡を熱変色可能な摩擦部を前記筆記具本体に設けた熱変色性筆記具であって、
前記筆記具本体の後部外面に、径方向外方に突出するクリップを設けるとともに、前記筆記具本体の把持部の外周面に、前記クリップと同一の径方向外方に突出する非環状の突起よりなる摩擦部を形成し、筆記時、前記摩擦部を指で挟持可能としたことを特徴とする熱変色性筆記具。
【請求項２】
前記摩擦部が弾性材料からなるとともに、前記摩擦部が、前部が後部に比べて径方向外方に大きく突出する請求項１記載の熱変色性筆記具。
【請求項３】
前記把持部と前記摩擦部とが弾性材料により一体に形成される請求項１または２記載の熱変色性筆記具。
【発明の詳細な説明】
【技術分野】
【０００１】
本発明は、熱変色性筆記具に関する。
【背景技術】
【０００２】
従来、特許文献１には、筆記具本体の内部に熱変色性インキを収容し、前記筆記具本体の前端に、熱変色性インキが吐出可能なペン先を設け、前記筆記具本体の外面に、熱変色性インキの筆跡を摩擦しその際に生じる摩擦熱で該筆跡が熱変色可能な摩擦部を設けた熱変色性筆記具であって、筆記具本体の前部外面に弾性部材を設け、前記弾性部材が、筆記時には手指等で把持可能な把持部となり、熱変色性インキの筆跡を摩擦する際には把持部及び摩擦部となることを特徴とする熱変色性筆記具が記載されている。
【先行技術文献】
【特許文献】
【０００３】
【特許文献１】特開２００９−２０８３１３号公報
【発明の概要】
【発明が解決しようとする課題】
【０００４】
前記特許文献１の熱変色性筆記具は、把持部全体の外径が太くなり、適正に把持することが容易ではないし、嵩張るため携帯に不便である。
【０００５】
本発明は、前記従来の問題点を解決するものであり、筆記時に筆記具本体を適正に把持することができ、把持部全体を大径にする必要がなくなり、携帯に便利となる熱変色性筆記具を提供しようとするものである。
尚、本発明で、「前」とは筆記具本体のペン先側を指す。「後」とは筆記具本体の反ペン先側を指す。
【課題を解決するための手段】
【０００６】
本願の第１の発明は、筆記具本体２の内部に熱変色性インキが収容され且つ前記筆記具本体２の一端に前記熱変色性インキが吐出可能なペン先６を備え、前記熱変色性インキを用いて被筆記面上に形成した熱変色性の筆跡を摩擦し、その際に生じる摩擦熱で前記熱変色性の筆跡を熱変色可能な摩擦部３１を前記筆記具本体２に設けた熱変色性筆記具であって、
前記筆記具本体２の後部外面に、径方向外方に突出するクリップ４を設けるとともに、前記筆記具本体２の把持部３の外周面の一部に、前記クリップ４と同一の径方向外方に突出する非環状の突起よりなる摩擦部３１を形成し、筆記時、前記摩擦部３１を指で挟持可能としたことを要件とする。
【０００７】
前記第１の発明の熱変色性筆記具１は、筆記具本体２の把持部３の外周面の一部に、径方向外方に突出する非環状の突起よりなる摩擦部３１を形成し、筆記時、前記摩擦部３１を指で挟持可能としたことにより、筆記時に筆記具本体２を適正に把持することができ、把持部３全体を大径にする必要がなくなり、全体がスリムとなり携帯に便利となる。前記把持部３は、筆記具本体２の前部に設けられ、筆記時に把持する部分である。前記非環状の突起とは、把持部３の任意の外周面（例えば、把持部の前部の外周面、把持部の中間部の外周面、把持部の後部の外周面）の一部に設けられる突起であり、前記把持部３の任意の外周面の全周に設けられる環状の突起ではない。
【０００８】
本願の第２の発明は、前記第１の発明の熱変色性筆記具１において、前記摩擦部３１が弾性材料からなるとともに、前記摩擦部３１が、前部が後部に比べて径方向外方に大きく突出することを要件とする。
【０００９】
前記第２の発明の熱変色性筆記具１は、摩擦部３１を用いて熱変色性の筆跡を容易に摩擦変色することができる。
【００１０】
本願の第３の発明は、前記第１または第２の熱変色性筆記具１において、前記把持部３と前記摩擦部３１とが弾性材料により一体に形成されることを要件とする。
【００１１】
前記第３の発明の熱変色性筆記具１は、筆記具本体２の把持部３に摩擦部３１を容易に形成することができる。
【００１２】
尚、本発明で、前記弾性材料は、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。
【００１３】
前記弾性材料は、高摩耗性の弾性材料（例えば、消しゴム等）からなるものよりも、摩擦時に摩耗屑が殆ど生じない低摩耗性の弾性材料からなることが好ましい。
【００１４】
・熱変色性インキ
尚、本発明で、前記熱変色性インキは、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
【００１５】
本発明では、図７に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、又は完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図７において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１６】
前記実質的二相保持温度域は、目的に応じて設定できるが、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができると共に、可逆熱変色性インキによる筆跡を摩擦体による摩擦熱で容易に変色することができる。
【発明の効果】
【００１７】
本発明の熱変色性筆記具は、筆記時に筆記具本体を適正に把持することができ、把持部全体を大径にする必要がなくなり、全体がスリムとなり携帯に便利となる。
【図面の簡単な説明】
【００１８】
【図１】本発明の熱変色性筆記具の第１の実施の形態を示す側面図である。
【図２】図１の正面図である。
【図３】図１の熱変色性筆記具を把持した状態（摩擦部を指で挟持した状態）を示す説明図である。
【図４】本発明の熱変色性筆記具の第２の実施の形態を示す側面図である。
【図５】図４の正面図である。
【図６】図４の熱変色性筆記具を把持した状態（摩擦部を指で挟持した状態）を示す説明図である。
【図７】熱変色性インキの変色挙動を示す説明図である。
【発明を実施するための形態】
【００１９】
＜第１の実施の形態＞
本発明の第１の実施の形態を図１乃至図３に示す。
本実施の形態の熱変色性筆記具１は、筆記具本体２と、該筆記具本体２の前部外面に設けられる把持部３と、該把持部３の外面に設けられる摩擦部３１と、該筆記具本体２の後部外面に設けられる、ポケット等に挟持可能なクリップ４と、該筆記具本体２の後端部に設けられる操作部５とを備える。前記筆記具本体２内には、前後方向に移動可能に筆記体が収容される。前記筆記体内には熱変色性インキが収容されるとともに、前記筆記体の前端には前記熱変色性インキが吐出可能なペン先６が取り付けられる。本実施の形態の熱変色性筆記具１は、後端の操作部５を前方に押圧することよって筆記具本体２の前端よりペン先６が出没する後端ノック式の熱変色性筆記具である。
【００２０】
前記把持部３は、弾性材料から形成される。前記弾性材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。前記把持部３は、筆記具本体２の前部に筒状に設けられる。前記把持部３は、筆記具本体２の前部外面に、２色成形または別部材の取り付け等の手段により設けられる。
【００２１】
前記把持部３の外面には、径方向外方に突出する前後方向に延びる板状（非環状）の突起が一体に形成される。即ち、前記把持部３の外面に、板状の突起からなる摩擦部３１が一体に形成される。前記摩擦部３１は、前部が後部に比べて径方向外方に大きく突出される。それにより、筆記時、筆記具本体２の把持部３を把持した際、指で摩擦部３１を周方向に容易に挟持できる。また、前記摩擦部３１が、把持部３の外面より部分的に突出されているため、前記摩擦部３１を用いて熱変色性の筆跡を容易に摩擦変色できる。
【００２２】
前記ペン先６は、例えば、ボールペンチップ、繊維加工体または多孔質体からなるマーキングチップ等が挙げられる。
【００２３】
前記熱変色性インキは、低温側変色点（完全発色温度ｔ１  ）が−３０℃〜−１０℃の範囲の任意の温度に設定され、高温側変色点（完全消色温度ｔ４  ）が６０℃〜８０℃の範囲の任意の温度に設定され、ヒステリシス幅ΔＨが４０℃〜６０℃の範囲を示す可逆熱変色性インキが採用される。
【００２４】
筆記具本体２の前部外面に把持部３が設けられ、筆記具本体２の後部にクリップ４が設けられ、筆記具本体２の後端部に操作部５が設けられる。
【００２５】
本実施の形態の熱変色性筆記具１は、筆記具本体２の把持部３の外周面の一部に、径方向外方に突出する前後に延びる板状の突起よりなる摩擦部３１を形成し、筆記時、前記摩擦部３１を指で挟持可能としたことにより、筆記時に筆記具本体２を適正に把持することができ、把持部３全体を大径にする必要がなくなり、全体がスリムとなり携帯に便利となる。
【００２６】
本実施の形態の熱変色性筆記具１は、前記摩擦部３１が弾性材料からなることにより、摩擦部３１を用いて熱変色性の筆跡を容易に摩擦変色することができる。
【００２７】
本実施の形態の熱変色性筆記具１は、前記把持部３と前記摩擦部３１が弾性材料から一体に形成されることにより、筆記具本体２の把持部３に摩擦部３１を容易に形成することができる。
【００２８】
＜第２の実施の形態＞
本発明の第２の実施の形態を図４乃至図６に示す。
本実施の形態の熱変色性筆記具１は、筆記具本体２と、該筆記具本体２の前部外面に設けられる把持部３と、該把持部３の外面に設けられる摩擦部３１と、該筆記具本体２の後部外面に設けられる、ポケット等に挟持可能なクリップ４と、該筆記具本体２の後端部に設けられる操作部５とを備える。前記筆記具本体２内には、前後方向に移動可能に筆記体が収容される。前記筆記体内には熱変色性インキが収容されるとともに、前記筆記体の前端には前記熱変色性インキが吐出可能なペン先６が取り付けられる。本実施の形態の熱変色性筆記具１は、後端の操作部５を前方に押圧することよって筆記具本体２の前端よりペン先６が出没する後端ノック式の熱変色性筆記具である。
【００２９】
前記把持部３は、弾性材料から形成される。前記弾性材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。前記把持部３は、筆記具本体２の前部に筒状に設けられる。前記把持部３は、筆記具本体２の前部外面に、２色成形または別部材の取り付け等の手段により設けられる。
【００３０】
前記把持部３の外周面の前部には、径方向外方に突出する点状（非環状）の突起が一体に形成される。即ち、前記把持部３の前部外面に、点状の突起からなる摩擦部３１が一体に形成される。それにより、筆記時、筆記具本体２の把持部３を把持した際、指で摩擦部３１を周方向に容易に挟持できる。また、前記摩擦部３１が、把持部３の外面より部分的に突出されているため、前記摩擦部３１を用いて熱変色性の筆跡を容易に摩擦変色できる。
【００３１】
前記ペン先６は、例えば、ボールペンチップ、繊維加工体または多孔質体からなるマーキングチップ等が挙げられる。
【００３２】
前記熱変色性インキは、低温側変色点（完全発色温度ｔ１  ）が−３０℃〜−１０℃の範囲の任意の温度に設定され、高温側変色点（完全消色温度ｔ４  ）が６０℃〜８０℃の範囲の任意の温度に設定され、ヒステリシス幅ΔＨが４０℃〜６０℃の範囲を示す可逆熱変色性インキが採用される。
【００３３】
筆記具本体２の前部外面に把持部３が設けられ、筆記具本体２の後部にクリップ４が設けられ、筆記具本体２の後端部に操作部５が設けられる。
【００３４】
本実施の形態の熱変色性筆記具１は、筆記具本体２の把持部３の外周面の一部に、径方向外方に突出する点状の突起よりなる摩擦部３１を形成し、筆記時、前記摩擦部３１を指で挟持可能としたことにより、筆記時に筆記具本体２を適正に把持することができ、把持部３全体を大径にする必要がなくなり、全体がスリムとなり携帯に便利となる。
【００３５】
本実施の形態の熱変色性筆記具１は、前記摩擦部３１が弾性材料からなることにより、摩擦部３１を用いて熱変色性の筆跡を容易に摩擦変色することができる。
【００３６】
本実施の形態の熱変色性筆記具１は、前記把持部３と前記摩擦部３１が弾性材料から一体に形成されることにより、筆記具本体２の把持部３に摩擦部３１を容易に形成することができる。
【符号の説明】
【００３７】
１  熱変色性筆記具
２  筆記具本体
３  把持部
３１  摩擦部
４  クリップ
５  操作部
６  ペン先
Ｆ 指
【図１】
0005694706.tif 000002
【図２】
0005694706.tif 000003
【図３】
0005694706.tif 000004
【図４】
0005694706.tif 000005
【図５】
0005694706.tif 000006
【図６】
0005694706.tif 000007
【図７】
0005694706.tif 000008